(57)【要約】【課題】吸気口に対応して取り付けられるフィルタの着脱作業性を改善した電子レンジを提供する。【解決手段】本体内に被加熱物を収納する加熱室と、この加熱室の被加熱物をマイクロ波加熱するためのマイクロ波を発振するマグネトロンと、このマグネトロンで発振したマイクロ波を加熱室に導くための導波管と、マグネトロンに電力を供給する制御装置を構成する電子部品と、本体に設けた吸気口４Ａ及び排気口と、吸気口４Ａから冷却用の空気を吸引し、電子部品に通風した後、排気口２Ｂから排出するための冷却ファンと、吸気口４Ａに対応して本体に取り付けられ、空気中の塵埃を捕獲するためのフィルタ２６とを備え、フィルタ２６は本体２に吸着する永久磁石３５により本体２に着脱可能に取り付けられる。【選択図】図５
2010107138.tif 000002
【特許請求の範囲】
【請求項１】
本体内に構成され、被加熱物を収納する加熱室と、
該加熱室内の前記被加熱物をマイクロ波加熱するためのマイクロ波を発振するマグネトロンと、
該マグネトロンで発振したマイクロ波を前記加熱室に導くための導波管と、
前記マグネトロンに電力を供給する制御装置を構成する電子部品と、
前記本体に設けられた吸気口及び排気口と、
前記吸気口から冷却用の空気を吸引し、前記電子部品に通風した後、前記排気口から排出するための冷却ファンと、
前記吸気口に対応して前記本体に取り付けられ、空気中の塵埃を捕獲するためのフィルタとを備えた電子レンジにおいて、
前記フィルタは永久磁石を有し、該永久磁石が前記本体に吸着することにより、着脱可能に取り付けられていることを特徴とする電子レンジ。
【請求項２】
前記本体に設けられ、前記フィルタが前記本体に取り付けられたことを前記永久磁石の磁力によって検出可能なフィルタ検出手段を備え、前記制御装置は、前記フィルタ検出手段の出力に基づき、前記フィルタが前記本体に取り付けられていない場合は、前記加熱運転を禁止することを特徴とする請求項１に記載の電子レンジ。
【請求項３】
前記制御装置は、前記フィルタ検出手段の出力に基づき、前記フィルタが前記本体から取り外された場合、所定期間前記冷却ファンを逆回転させることを特徴とする請求項２に記載の電子レンジ。
【発明の詳細な説明】
【技術分野】
【０００１】
本発明は、マグネトロンにて発振したマイクロ波にて加熱室内の被加熱物を加熱する電子レンジに関するものである。
【背景技術】
【０００２】
従来より本体に内設した食品を収納する加熱室と、食品をマイクロ波加熱する複数のマグネトロンと、各マグネトロン毎に設けられたトランスなどから構成されてマグネトロンに駆動用電力を供給する電子部品と、本体に設けた吸気口及び排気口と、吸気口から冷却風を吸引し、マグネトロンや電子部品を冷却し、排気口から冷却風を排気する冷却ファンとを備え、マグネトロンによるマイクロ波加熱調理中、冷却ファンを駆動してマグネトロンや電子部品を冷却する電子レンジが知られている（例えば、特許文献１参照）。
【特許文献１】特開２００６−９２８７４号公報
【発明の開示】
【発明が解決しようとする課題】
【０００３】
このように、従来より電子レンジにおいては、マグネトロンや電子部品が過熱してしまうのを抑えるため、本体に設けられた吸気口から冷却風（外気）の吸引を行っていたが、空気中の塵埃が吸引されて電子部品やマグネトロンに付着すると、通風による冷却効率が悪化してしまうと共に、電気的な故障の一因ともなってしまう。そこで、従来では吸気口にフィルタをネジ止めすると共に、汚れたフィルタは定期的にネジを緩めて取り外し、清掃していた。そのため、フィルタを清掃する都度、いちいちネジを緩めたり締め付けたりしなければならず、作業が繁雑となって清掃がおろそかになるという問題があった。
【０００４】
本発明は、係る従来技術の課題を解決するために成されたものであり、吸気口に対応して取り付けられるフィルタの着脱作業性を改善した電子レンジを提供することを目的とする。
【課題を解決するための手段】
【０００５】
即ち、本発明の電子レンジは、本体内に構成され、被加熱物を収納する加熱室と、該加熱室内の被加熱物をマイクロ波加熱するためのマイクロ波を発振するマグネトロンと、該マグネトロンで発振したマイクロ波を加熱室に導くための導波管と、マグネトロンに電力を供給する制御装置を構成する電子部品と、本体に設けられた吸気口及び排気口と、吸気口から冷却用の空気を吸引し、電子部品に通風した後、排気口から排出するための冷却ファンと、吸気口に対応して本体に取り付けられ、空気中の塵埃を捕獲するためのフィルタとを備えたものであって、フィルタは永久磁石を有し、該永久磁石が本体に吸着することにより、着脱可能に取り付けられていることを特徴とする。
【０００６】
また、請求項２の発明の電子レンジは、上記に加えて、本体に設けられ、フィルタが本体に取り付けられたことを永久磁石の磁力によって検出可能なフィルタ検出手段を備え、制御装置は、フィルタ検出手段の出力に基づき、フィルタが本体に取り付けられていない場合は、加熱運転を禁止することを特徴とする。
【０００７】
また、請求項３の発明の電子レンジは、請求項２において、制御装置は、フィルタ検出手段の出力に基づき、フィルタが本体から取り外された場合、所定期間冷却ファンを逆回転させることを特徴とする。
【発明の効果】
【０００８】
本発明によれば、本体内に構成され、被加熱物を収納する加熱室と、この加熱室内の被加熱物をマイクロ波加熱するためのマイクロ波を発振するマグネトロンと、このマグネトロンで発振したマイクロ波を加熱室に導くための導波管と、マグネトロンに電力を供給する制御装置を構成する電子部品と、本体に設けられた吸気口及び排気口と、吸気口から冷却用の空気を吸引し、電子部品に通風した後、排気口から排出するための冷却ファンと、吸気口に対応して本体に取り付けられ、空気中の塵埃を捕獲するためのフィルタとを備えた電子レンジにおいて、フィルタは永久磁石を有し、この永久磁石が本体に吸着することにより、着脱可能に取り付けられるようにしたので、フィルタの取り付け、取り外しが極めて容易に行えるようになる。
【０００９】
これにより、フィルタの清掃を促進することができるようになり、目詰まりによる故障の発生を未然に回避することが可能となるものである。
【００１０】
また、請求項２の発明によれば、上記に加えて本体に設けられ、フィルタが本体に取り付けられたことを永久磁石の磁力によって検出可能なフィルタ検出手段を備え、制御装置は、フィルタ検出手段の出力に基づき、フィルタが本体に取り付けられていない場合は、加熱運転を禁止するので、フィルタを付け忘れた状態で加熱運転が実行されることによる本体内への塵埃の侵入を未然に回避することができるようになるものである。
【００１１】
特に、フィルタ検出手段は、フィルタを本体に取り付けるための永久磁石の磁力を利用して、フィルタが本体に取り付けられたことを検出するので、構造も簡素化できるものである。
【００１２】
更に、請求項３の発明によれば、上記に加えて制御装置は、フィルタ検出手段の出力に基づき、フィルタが本体から取り外された場合、所定期間冷却ファンを逆回転させるようにしたので、フィルタを清掃するために本体から取り外した際等に、冷却ファンを逆回転させ、フィルタを通過して電子部品に付着してしまった細かい塵埃を吹き飛ばし、吸気口から排出することが可能となるものである。
【発明を実施するための最良の形態】
【００１３】
本発明は、定期的にフィルタの清掃を行う際、フィルタを本体に固定しているネジを緩めたり、締め付けたりする手間を省くことを主な特徴とする。フィルタを本体に固定しているネジを緩めたり締め付けたりする手間を省くという目的を、本体に吸着可能な永久磁石をフィルタに設けるだけの簡単な構造で実現した。
【００１４】
次に、図面に基づき本発明の実施の形態を詳述する。図１は本発明の一実施例を示す電子レンジ１の外観斜視図、図２は同図１中のＡ−Ａ線断面図をそれぞれ示している。
【００１５】
図１において、１はマグネトロンとしての上下マグネトロン１３、１５（図２に示す）から発振したマイクロ波で被加熱物としての食品を加熱して調理するための電子レンジを示し、２は磁石が吸着可能な鋼板（鉄板或いはステンレス板）にて構成され、内部に加熱室９（図２に示す）を備えた筐体からなる本体、３は本体２の前面に配置したドア、また、４は本体２の下部に位置して電子レンジ１を支持するための箱型形状を有する脚部（本体２の一部を構成する）、５はユーザが電子レンジ１に各種の情報を入力するための本体２の前面でドア３の上部に配置された操作パネルである。
【００１６】
この操作パネル５には、調理時間等の種々の情報を表示する表示部６と、調理時間や調理メニュー等を入力するための各種入力キー部７とが備えられている。また、ドア３の右端には、当該ドア３を開閉して加熱室９内に調理物を出し入れするための把手８が設けられている。ドア３は把手８を操作してその左端部を軸として回動することにより、開閉される。
【００１７】
脚部４には、電子レンジ１の本体２内に冷却風（外気）を取り込むため、後述するフィルタ２６よりも大きな縦長孔の吸気口４Ａ（図５、図６に示す）が形成されており、この吸気口４Ａはドア３下側の本体２の脚部４の前面に形成されている。４Ｂは本体２の脚部４の前面に設けられ、後述する着脱金具２９の案内部３４が挿入される案内孔（図５、図６に示す）で、吸気口４Ａの両側にそれぞれ形成されている。また、本体２の側面には、吸気口４Ａから吸い込んだ冷却風を排出する複数の排気口２Ｂが形成されている。
【００１８】
図２において、９は本体２に内設された加熱室、１０は加熱室９の上部に配置した樹脂製又はマイカ製の仕切板、１１は加熱室９の底部に配置したセラミック製の食品載置棚、１２は一端を加熱室９の天面９Ａに連結した上導波管、１３は上導波管１２の他端に連結した上マグネトロン、１４は一端を加熱室９の底面９Ｂに連結した下導波管、１５は下導波管１４の他端に連結した下マグネトロン、１６は仕切板１０と加熱室９の天面９Ａとの間の空間に配置され、上導波管１２と電波的に結合し、且つ、回転可能に取り付けられた上部回転アンテナ、１７は上部回転アンテナ１６を回転させる上部モータである。
【００１９】
１８は食品載置棚１１と加熱室９の底面９Ｂとの間の空間に配置され、下導波管１４と電波的に結合し、且つ、回転可能に取り付けられた下部回転アンテナ、１９は下部回転アンテナ１８を回転させる下部モータである。尚、本体２後面にはネジ２０を外すことにより取り外し可能な後面板２Ａを有している。前記加熱室９の側面には、加熱室９内の空気を排出可能で、且つ、マイクロ波が本体２外部に漏れ出さない程度の大きさの排気口９Ｃが穿設されている。尚、排気口９Ｃは、加熱室９の上面に穿設されてもよい。
【００２０】
図３において、２１は加熱室９の後部で本体２の後面板２Ａとの間のスペースの脚部４上に配置され、上マグネトロン１３に電力を供給するための電子部品の一部となると共に、放熱フィン（図示せず）が設けられた第１インバータ、２２は同じく加熱室９の後部で本体２の後面板２Ａとの間のスペースの脚部４上に配置され、下マグネトロン１５に電力を供給するための電子部品の一部となると共に、放熱フィン（図示せず）が設けられた第２インバータである。
【００２１】
２３は吸気口４Ａから空気（外気）を吸い込んで上マグネトロン１３用の電子部品（第１インバータ２１等）、及び、上マグネトロン１３に冷却風として供給し、冷却する第１冷却ファン、２４は同じく吸気口４Ａから空気（外気）を吸い込んで下マグネトロン１５用の電子部品（第２インバータ２２等）、及び、下マグネトロン１５に冷却風として供給し、冷却する第２冷却ファンである。前記第１冷却ファン２３は第１インバータ２１の下部に位置して取り付けられ、第２冷却ファン２４は第２インバータの下部に位置して取り付けられている。
【００２２】
図４において、２６は空気中の塵埃を除去するためのフィルタであり、吸気口４Ａに対応してその前面（図３に示す）に設けられている。２７、２８はフィルタ２６を構成する金属網部とフィルタ枠である。この金属網部２７は所定の大きさの網目を有しており、空気中の塵埃を捕獲する。また、フィルタ枠２８は金属板にて構成され、金属網部２７の周囲に設けられている。フィルタ枠２８の周囲は折り曲げられて二重部分２８Ａが形成されている。即ち、フィルタ枠２８の周囲は所定寸法で折曲され、所定厚さの二重部分２８Ａが形成されている。
【００２３】
２９はフィルタ２６を吸気口４Ａ前面に着脱するための着脱金具で、フィルタ枠２８の両端部にそれぞれ設けられている。フィルタ２６の前面側に位置する着脱金具２９の前部には着脱金具を手で保持するための保持部２９Ａ（図２）が形成されると共に、フィルタ２６の後面側に位置する後部は突設する案内部３４とされている。保持部２９Ａにはフィルタ枠２８側に連続してくびれ部２９Ｂ（図２）が形成されており、このくびれ部２９Ｂは保持部２９Ａを手で持って引く際、手が滑らないよう、保持部２９Ａより離間するに従って小径となる形状とされている。
【００２４】
案内部３４の先端は先細り、若しくは、半球形状に形成されており、前記本体２前面に設けられた案内孔４Ｂに挿入し易く構成されている。着脱金具２９はナット３０にてフィルタ枠２８に固定されており、案内部３４はナット３０より所定寸法突出して形成されている。尚、ナット３０は、フィルタ枠２８の二重部分２８Ａの厚さより少許薄く構成されている。これにより、後述する永久磁石３５と本体２とが隙間無く確実に吸着できるように構成されている。
【００２５】
この永久磁石３５はフィルタ２６を本体２の吸気口４Ａ面に吸着させる丸形、或いは、方形の希土類系磁石、或いは、フェライト系磁石にて構成されている。この永久磁石３５は、金属網部２７と着脱金具２９との間にそれぞれ接着剤等により固定されると共に、フィルタ枠２８の二重部分２８Ａの厚さよりも少許厚く構成されている。これにより、永久磁石３５と本体２とが隙間無く確実に吸着できるように構成されている。尚、フィルタ２６は左右上下対称に構成されている。
【００２６】
そして、フィルタ２６を吸気口４Ａに取り付ける場合、図５、図６に示すように両着脱金具２９（保持部２９Ａ）を手で持って、案内部３４をその先端から案内孔４Ｂ内に挿入する。両着脱金具２９の案内部３４が案内孔４Ｂに挿入されると、フィルタ２６に設けられた両永久磁石３５がその磁力によって本体２の脚部４前面に吸着する。これにより、フィルタ２６はドア３の下側において吸気口４Ａに対応し、本体２に着脱可能に取り付けられる。
【００２７】
また、フィルタ２６を清掃する際には、両着脱金具２９を持って引っ張れば（永久磁石３５の磁力による吸着力よりも大成る力）、フィルタ２６を本体２より取り外すことができる。このように、両着脱金具２９の案内部３４を脚部４前面の案内孔４Ｂに挿入することにより、吸気口４Ａに対応してフィルタ２６が位置決めし、永久磁石３５にて本体２（脚部４）に吸着固定しているので、フィルタ２６を本体２に簡単に着脱することができる。また、フィルタ２６は上下及び左右対称に構成されているので、フィルタ２６の左右及び上下を確認することなく本体２に吸着固定させることができ、これによってもフィルタ２６の着脱操作性を大幅に向上させることができる。
【００２８】
次に図５において、３６は永久磁石３５が接近することにより、その磁力で接点がＯＮし、離間すると接点がＯＦＦするリードスイッチ（本発明のフィルタ検出手段に相当）であり、後述するマイクロコンピュータ４３に接続（図７に示す）されている。このリードスイッチ３６は、本体２内（脚部４の前面内側）において、フィルタ２６が本体２に取り付けられたときに、当該フィルタ２６の一側（実施例では向かって右側）の永久磁石３５に対応する位置に設けられている。尚、リードスイッチ３６をフィルタ２６に設けられた両側の永久磁石３５に対応して設けても差し支えない。それによれば、後述するフィルタ２６の着脱検知をより確実に行えるようになる。
【００２９】
次に、図７は電子レンジ１の制御装置Ｃの機能ブロック図を示している。４３は汎用のマイクロコンピュータであり、このマイクロコンピュータ４３の入力には前記入力キー部７やリードスイッチ３６が接続されており、出力には第１及び第２インバータ２１、２２、第１及び第２冷却ファン２３、２４が接続されている。そして、第１インバータ２１及び第２インバータ２２にはそれぞれ上マグネトロン１３及び下マグネトロン１５が接続され、電力が供給される。
【００３０】
尚、４４は複数の自動調理メニューのシーケンスが記憶されているＥＥＰＲＯＭなどからなる不揮発性メモリであり、マイクロコンピュータ４３に接続されている。制御装置Ｃはこれらマイクロコンピュータ４３、第１及び第２インバータ２１、２２、不揮発性メモリ４４等の電子部品から構成されている。
【００３１】
以上の構成で次に実施例の電子レンジ１の動作を説明する。尚、吸気口４Ａには前述のようにしてフィルタ２６が取り付けられ、リードスイッチ３６はＯＮしているものとする。先ず、電子レンジ１にて加熱室９の食品載置棚１１上に載置された被加熱物の加熱調理を行う場合について説明する。使用者によりドア３が閉じられてから、操作パネル５の入力キー部７による自動調理コースが設定され、次に、使用者により入力キー部７のスタートキーが操作されると、マイクロコンピュータ４３は第１インバータ２１及び第２インバータ２２により上マグネトロン１３及び下マグネトロン１５を駆動し、マイクロ波を発振させて加熱運転を開始する。
【００３２】
上下マグネトロン１３、１５から発信されたマイクロ波は、上導波管１２及び下導波管１４を介して上部モータ１７にて回転する上部回転アンテナ１６及び下部モータ１９にて回転する下部回転アンテナ１８から加熱室９内に放射され、仕切板１０及び食品載置棚１１を通過して食品載置棚１１上に載置された被加熱物に吸収される。被加熱物は、上部回転アンテナ１６及び下部回転アンテナ１８から放射されたマイクロ波により所定時間加熱され、加熱調理が終了する。
【００３３】
マイクロコンピュータ４３は、加熱室９の食品載置棚１１上に載置された被加熱物の加熱調理する加熱運転中、第１及び第２冷却ファン２３、２４を運転（正回転）する。これら冷却ファン２３、２４が運転されると、フィルタ２６を介して吸気口４Ａから空気（外気）が本体２内に吸引され、第１インバータ２１及び第２インバータ２２他の制御装置Ｃを構成する電子部品と、上下マグネトロン１３、１５を空冷した後、排気口２Ｂより排出される。これにより、制御装置Ｃを構成する電子部品やマグネトロン１３、１５の過熱が防止される。
【００３４】
ここで、電子レンジ１を使用しているとフィルタ２６には空気中の塵埃が付着していくので、定期的にフィルタ２６の清掃をする必要がある。このフィルタ２６を清掃する場合には、フィルタ２６の両側に設けられている着脱金具２９（保持部２９Ａ）を手で持って本体２より引き離す方向に引っ張り、本体２より外す。尚、保持部２９Ａには連続して小径のくびれ部２９Ｂを設けているので、着脱金具２９を引っ張る際、手（指）がくびれ部２９Ｂに引っ掛かり容易に引っ張ることができる。
【００３５】
フィルタ２６が吸気口４Ａより離間すると、永久磁石３５がリードスイッチ３６より離間するので、リードスイッチ３６はＯＦＦする。マイクロコンピュータ４３はリードスイッチ３６がＯＦＦしたことで、フィルタ２６が取り外されたことを検出し、第１及び第２インバータ２１、２２による上下マグネトロン１３、１５への給電（加熱運転）を禁止する。これにより、スタートキーが押されても、加熱室９における被加熱物の加熱運転は行われなくなる。また、フィルタ２６が取り外された時点から第１、第２冷却ファン２３、２４を所定期間逆回転させた後、停止させる。
【００３６】
ここで、フィルタ２６の金属網部２７はある程度小さい塵埃を捕獲できる網目とされているが、極めて小さい塵埃はどうしても金属網部２７を通過し、本体２内の電子部品に付着してしまう。しかしながら、上記のようにフィルタ２６を取り外した際に冷却ファン２３、２４を逆回転させることにより、フィルタ２６を通過して第１インバータ２１及び第２インバータ２２の放熱フィン等に付着してしまった塵埃は剥離され、本体２の吸気口４Ａより外部に排出されるようになる。また、フィルタ２６を外したときだけ一定期間第１、第２冷却ファン２３、２４を逆回転させるので、電子部品から剥離した塵埃がフィルタ２６に付着してしまう不都合も発生することがない。以後、加熱運転の禁止が解除されるまで冷却ファン２３、２４の運転も当然に禁止される。
【００３７】
また、リードスイッチ３６がＯＦＦしたことにより、マイクロコンピュータ４３はフィルタ２６が装着されていない旨の表示を表示部６に行い、使用者に報知する。尚、フィルタ２６が装着されていないことを音声などで報知するようにしても差し支えない。これにより、フィルタ２６が取り付けられていないことで加熱運転が禁止されていることを使用者に報知することができる。
【００３８】
尚、マイクロコンピュータ４３はフィルタ２６が再び吸気口４Ａに対応して本体２に取り付けられ、永久磁石３５の磁力によってリードスイッチ３６がＯＮすれば、加熱運転の禁止を解除する。従って、その後スタートキーが押されれば、加熱運転が開始される。
【００３９】
このように、本発明では吸気口４Ａに対応して本体２に取り付けられ、空気中の塵埃を捕獲するためのフィルタ２６を設けると共に、フィルタ２６は永久磁石３５を有し、この永久磁石３５が本体２に吸着することにより、着脱可能に取り付けられるようにしたので、フィルタ２６の取り付け、取り外しが極めて容易に行えるようになる。
【００４０】
これにより、フィルタ２６の清掃を促進することができるようになり、当該フィルタ２６の目詰まりによる故障の発生を未然に回避することが可能となる。
【００４１】
また、永久磁石３５の磁力によってフィルタ２６が本体２に取り付けられたことを検出するリードスイッチ３６（フィルタ検出手段）を備えると共に、制御装置Ｃは、リードスイッチ３６の出力に基づき、フィルタ２６が本体２に取り付けられていない場合は、電子レンジ１の加熱運転を禁止するので、フィルタ２６を付け忘れた状態で加熱運転が実行されることによる本体２内への塵埃の侵入を未然に回避することができる。
【００４２】
特に、リードスイッチ３６は、フィルタ２６を本体２に取り付けるための永久磁石３５の磁力を利用して、フィルタ２６が本体２に取り付けられたことを検出するので、構造も簡素化することができる。
【００４３】
また、制御装置Ｃは、リードスイッチ３６の出力に基づいて、フィルタ２６が本体２から取り外された場合、所定期間第１、第２冷却ファン２３、２４を逆回転させるようにしているので、フィルタ２６を清掃するために本体２から取り外した際等に、自動的に第１、第２冷却ファン２３、２４を逆回転させ、フィルタ２６を通過して電子部品に付着してしまった細かい塵埃を吹き飛ばし、吸気口４Ａから本体２外部へ排出することが可能となる。
【００４４】
尚、実施形態ではインバータを用いた電子レンジ１で説明したが、電子レンジ１はインバータに限らず、従来の高圧トランスや高圧コンデンサを用いた電子レンジに応用しても差し支えない。また、フィルタ検出手段として実施例ではリードスイッチを用いたが、それに限らず、永久磁石の磁力によってフィルタが本体に取り付けられたことを検出できるものであれば、本発明の趣旨を逸脱しない範囲で他の様々なスイッチを利用することができることは云うまでもない。
【図面の簡単な説明】
【００４５】
【図１】本発明の一実施例を示す電子レンジの斜視図である。
【図２】図１の電子レンジのＡ−Ａ線断面図である。
【図３】本発明の一実施例を示す電子レンジを構成する加熱室下部の概略部品配置図である。
【図４】本発明の一実施例を示す電子レンジを構成するフィルタの裏面斜視図である。
【図５】本発明の一実施例を示す電子レンジを構成するフィルタの分解組み立て図である。
【図６】本発明の一実施例を示す電子レンジを構成するフィルタのもう一つの分解組み立て図である。
【図７】本発明の一実施例を示す電子レンジを構成する制御装置の機能ブロック図である。
【符号の説明】
【００４６】
Ｃ  制御装置
１  電子レンジ
２  本体
４  脚部
４Ａ  吸気口
４Ｂ  案内孔
９  加熱室
１２  上導波管
１３  上マグネトロン
１４  下導波管
１５  下マグネトロン
２１  第１インバータ
２２  第２インバータ
２３  第１冷却ファン
２４  第２冷却ファン
２６  フィルタ
２７  金属網部
２９  着脱金具
３５  永久磁石
３６  リードスイッチ
４３  マイクロコンピュータ
【図１】
2010107138.tif 000003
【図２】
2010107138.tif 000004
【図３】
2010107138.tif 000005
【図４】
2010107138.tif 000006
【図５】
2010107138.tif 000007
【図６】
2010107138.tif 000008
【図７】
2010107138.tif 000009